(57)【要約】【課題】  初心者でも簡単容易にかつ迅速に１本ずつ正確に植え付けることができるカツラ用植毛針の提供。【解決手段】  握り部２から前方に延びる取付軸部３１と取付軸部３１の先端から屈曲部３２を介して垂直方向に延びる針先軸部３３とを有するカツラ用植毛針の毛植え針３における針先軸部３３の先端に、握り部２側に出っ張るかえり部３４を形成する。かえり部３４の屈曲部３３側に、植毛用髪Ａを１本だけ掛ける髪掛止用スペースＳをおいてかえり部３４とほぼ同じ高さだけ握り部２側に膨出し、かつかえり部先端のカツラ用ネット４への引っ掛かりを抑える膨らみ部３５を設けた。【選択図】図１
2009270243.tif 000002
【特許請求の範囲】
【請求項１】
握り部と握り部の先端に設けられるＬ字状のかえり部付毛植え針とを備え、その毛植え針によりカツラ用ネットに植毛用髪を１本ずつ植毛するカツラ用植毛針において、毛植え針が握り部から前方に延びる取付軸部と取付軸部の先端から屈曲部を介して垂直方向に延びる針先軸部とを有すると共に、針先軸部の先端に握り部側に出っ張るかえり部が形成されている一方、このかえり部の屈曲部側に、植毛用髪を１本だけ掛ける髪掛止用スペースをおいてかえり部とほぼ同じ高さだけ握り部側に膨出し、かつかえり部先端のカツラ用ネットへの引っ掛かりを抑える膨らみ部が設けられていることを特徴とするカツラ用植毛針。
【請求項２】
毛植え針の太さが細目に形成されている一方、針先軸部におけるかえり部の高さが植毛用髪の太ささよりも小さく形成され、かつ、膨らみ部のかえり部との対向面がかえり部の内面形状と側面視がほぼ平行となるよう傾斜状に形成されていることを特徴とする請求項１記載のカツラ用植毛針。
【発明の詳細な説明】
【技術分野】
【０００１】  本発明は、カツラ用植毛針、詳しくはカツラ用ネットに植毛用髪を１本ずつ植毛するカツラ用植毛針に関するものである。
【背景技術】
【０００２】  従来、この種のカツラ用植毛針は、例えば図４に示すように握り部１１と握り部１１の先端に設けられるＬ字状のかえり部付毛植え針１２とを備え、毛植え針１２が握り部１１から前方に延びる取付軸部１２ａと取付軸部１２ａの先端から屈曲部１２ｂを介して垂直方向に延びる針先軸部１２ｃとを有すると共に、針先軸部１２ｃの先端に握り部１１側に０．２ｍｍ程度出っ張るかえり部１２ｄが形成された構成となっている。【０００３】  そして、使用時には、まず図５に示すように毛植え針１２の針先軸部１２ｃをネット１３の所望箇所に通したうえで、長さ方向中間部でＵ字状に折り返した植毛用髪Ａから１本の植毛用髪Ａを針先軸部１２ｃのかえり部１２ｄに引っ掛け、その引っ掛け状態のまま針先軸部１２ｃをネット１３にかからないように引き抜いて植毛用髪Ａを引き出し、その後、植毛用髪Ａを２度くくるように結び植えていくようにしている。
【発明の開示】
【発明が解決しようとする課題】
【０００４】  ところが、上記した従来のカツラ用植毛針にあっては、針先軸部１２ｃのかえり部１２ｄに１本の植毛用髪Ａを引っ掛けてネット１３にかからないように針先軸部１２ｃを引き抜くのであるが、針先軸部１２ｃの先端においてかえり部１２ｄのみが握り部１１側に突出する形状であるため、細い植毛用髪Ａを１本だけでなく誤って図６に示すように２本、３本とかえり部１２ｄにかけて引き抜いてしまうことになる。このように２本、３本と抜いてしまうとその結び目が大きく黒くなって不自然な仕上がりになりやすい問題があった。そのため、１本ずつ正確に引き抜いて植え付けるには熟練が必要であった。また、針先軸部１２ｃからかえり部１２ｄのみが握り部１１側に突出する形状であるため、熟練した高度な技術がないとかえり部１２ｄがネット１３に引っ掛かりスムーズに引き抜くことができない問題があった。特に、カツラのネット１３が薄くなるとネット１３の強度も弱くなりかえり部１２ｄが引っ掛かってしまうと破けてしまうといった問題もあった。【０００５】  以上の問題点から、植え付け作業には、高度な技術を有する熟練経験者にしかカツラの植毛ができず、また、１つのカツラを完成するまでに非常に長い期間（１台のカツラに植毛するのに平均１４日間くらいかかる。）を要し、非常に高価なものになっているのが現状である。【０００６】  そこで、本発明は、初心者でも簡単容易にかつ迅速に１本ずつ正確に植え付けることができるカツラ用植毛針の提供を課題とする。
【課題を解決するための手段】
【０００７】  上記問題を解決するため本願の請求項１記載の発明は、握り部と握り部の先端に設けられるＬ字状のかえり部付毛植え針とを備え、その毛植え針によりカツラ用ネットに植毛用髪を１本ずつ植毛するカツラ用植毛針において、毛植え針が握り部から前方に延びる取付軸部と取付軸部の先端から屈曲部を介して垂直方向に延びる針先軸部とを有すると共に、針先軸部の先端に握り部側に出っ張るかえり部が形成されている一方、このかえり部の屈曲部側に、植毛用髪を１本だけ掛ける髪掛止用スペースをおいてかえり部とほぼ同じ高さだけ握り部側に膨出し、かつかえり部先端のカツラ用ネットへの引っ掛かりを抑える膨らみ部が設けられていることを特徴とする。【０００８】  また、本願の請求項２記載の発明は、請求項１記載の構成に加えて、毛植え針の太さが細目に形成されている一方、針先軸部におけるかえり部の高さが植毛用髪の太ささよりも小さく形成され、かつ、膨らみ部のかえり部との対向面がかえり部の内面形状と側面視がほぼ平行となるよう傾斜状に形成されていることを特徴とする。
【発明の効果】
【０００９】  本発明によれば、針先軸部におけるかえり部の屈曲部側に、植毛用髪を１本だけ掛ける髪掛止用スペースをおいてかえり部とほぼ同じ高さだけ握り部側に膨出し、かつかえり部先端のカツラ用ネットへの引っ掛かりを抑える膨らみ部が設けられているから、初心者でも髪掛止用スペースに１本の植毛用髪のみを簡単容易にかつ迅速に引っ掛けることができ、しかも、ネットから針先軸部を引き出す際には、膨らみ部がネットを上方に誘導することにより、かえり先端がネットに引っ掛からず、ネットを破ったりすることなく針先軸部をネットから簡単容易にかつ迅速に引き出すことができる。【００１０】  また、毛植え針の太さを細目に形成する一方、針先軸部におけるかえり部の高さを植毛用髪の太ささよりも小さく形成し、かつ、膨らみ部のかえり部との対向面がかえり部の内面形状と側面視がほぼ平行となるよう傾斜状に形成すれば、より一層正確に髪掛止用スペースに１本の植毛用髪のみを簡単容易にかつ迅速に引っ掛けることができ、かつ、ネットから針先軸部を引き出す際にも、かえり先端がより確実にネットに引っ掛からず、またネットを破ったりすることなく針先軸部をネットから引き出すことができるのでこのましい。
【発明を実施するための最良の形態】
【００１１】  以下、本発明の実施の形態を図に基づいて説明する。【００１２】  図１は、本発明に係るカツラ用植毛針を示すもので、この植毛針１は、握り部２と握り部２の先端に設けられるＬ字状のかえり部付毛植え針３とを備え、毛植え針３が握り部２から前方に延びる取付軸部３１と取付軸部３１の先端から屈曲部３２を介して垂直方向に延びる針先軸部３３とを有すると共に、針先軸部３３の先端に握り部２側に出っ張るかえり部３４が形成された構成となっている。【００１３】  そして、毛植え針３はその太さを従来よりも細くすると共に、針先軸部３３におけるかえり部３４の高さを植毛用髪Ａの太ささよりも小さくする一方、かえり部３４の屈曲部３２側に植毛用髪Ａを１本だけ掛ける髪掛止用スペースＳをおき、かつ、かえり部３４とほぼ同じ高さ（０．１ｍｍ程度）だけ握り部２側に膨出してかえり部先端のカツラ用ネット４への引っ掛かりを抑える膨らみ部３５を設けたのである。また、膨らみ部３５のかえり部３４との対向面がかえり部３４の内面形状と側面視がほぼ平行となるよう傾斜状に形成されている。【００１４】  なお、図に示す実施の形態では、握り部２と毛植え針３とを別体のもので形成したけれども、一体形成したものでもあってもよいことは勿論である。【００１５】  次に、カツラ用植毛針の作用について説明する。【００１６】  使用時には、まず、図２に示すように毛植え針３の針先軸部３をネット４の所望箇所に通す。このとき、かえり部３４の高さを植毛用髪Ａの太ささよりも小さく設定し、膨らみ部３５を設けていることにより容易に通すことができる。次に、毛植え針３のかえり部３４に、長さ方向中間部でＵ字状に折り返した植毛用髪Ａから１本の植毛用髪Ａを引っ掛ける。このとき、かえり部３４の屈曲部３２側にかえり部３４と膨らみ部３５とにより植毛用髪Ａを１本だけ掛ける髪掛止用スペースＳを積極的に形成しているので、図３に示すように初心者でも髪掛止用スペースＳに１本の植毛用髪Ａのみを簡単容易にかつ迅速に引っ掛けることができる。その後、その引っ掛け状態のまま針先軸部３２をネット４にかからないように引き抜いて植毛用髪Ａを引き出す。このとき、膨らみ部によりネットを上方に誘導し、その状態でかえり部３４のかえり先端がネット４に引っ掛からず、ネット４を破ったりすることなく針先軸部３をネット４からスムーズに引き出すことができる。然る後、植毛用髪Ａを２度くくるように結び植え付けて１回の植毛動作を終える。【００１７】  以上のように、毛植え針３に１本の植毛用髪Ａのみを簡単容易にかつ迅速に引っ掛けることができ、しかも、毛植え針３をネット４に通したり引き抜く作業もスムーズ行えることから、手順とやり方さえ覚えれば熟練者では、従来のカツラ用植毛針と比べるて２倍から３倍の速さでできる。一方、初心者では従来のカツラ用植毛針の場合、植えられるようになるまで三ヵ月くらい要したが、本発明の植毛針１を使うと１時間ぐらいで植毛ができるようになり、１週間で熟練者と同じくらいの生産ペースになったものもいる。【００１８】  このように、本発明の植毛針では、早く丁寧にカツラを作成できるようになり、従来のカツラ用植毛針に比べその所要時間を３分の１から４分の１く��いでできるようになり、また、熟練者を必要としないので人件費単価が下がり製作コストを大幅に下げることが可能になる。
【図面の簡単な説明】
【００１９】
【図１】  本発明に係るカツラ用植毛針の一部省略側面図である。
【図２】  同使用状態を示す説明図である。
【図３】  同植毛針への髪の引っ掛け状態を示す説明図である。
【図４】  従来例の説明図である。
【図５】  同使用状態を示す説明図である。
【図６】  同植毛針への髪の引っ掛け状態を示す説明図である。
【符号の説明】
【００２０】１              カツラ用植毛針
２              握り部
３              毛植え針
３１            取付軸部
３２            屈曲部
３３            針先軸部
３４            かえり部
３５            膨らみ部
Ａ              植毛用髪
Ｓ              髪掛止用スペース
【図１】
2009270243.tif 000003
【図２】
2009270243.tif 000004
【図３】
2009270243.tif 000005
【図４】
2009270243.tif 000006
【図５】
2009270243.tif 000007
【図６】
2009270243.tif 000008